(57)【要約】【課題】こまの性能に関係なく、こま回しテクニックのみを競うことができる、興趣に富んだこま回し用プレートを提供する。【解決手段】  プレート本体１と、プレート本体１の表面に配置された、径の異なる複数のリング２a〜２ｄとを備え、プレート本体１に紐を巻いたこまを投げ、どのリング２a〜２ｄでこまが回ったかによって点数を競う。【選択図】図１
2011212394.tif 000002
【特許請求の範囲】
【請求項１】
プレート本体と、
前記プレート本体の表面に配置された、径の異なる複数のリングとを備え、
前記プレート本体に紐を巻いたこまを投げ、どのリングでこまが回ったかによって点数を競うようにしたことを特徴とするこま回し用プレート。
【請求項２】
前記リングは、前記プレート本体の表面の異なる位置に配置されていることを特徴とする請求項１記載のこま回し用プレート。
【請求項３】
前記リングは、前記プレート本体の表面に同心円状に配置されていることを特徴とする請求項１記載のこま回し用プレート。
【請求項４】
前記複数のリングの内側部分の前記プレート本体には、径の小さいほど高い点数の数字を表示していることを特徴とする請求項１ないし３のいずれかに記載のこま回し用プレート。
【発明の詳細な説明】
【技術分野】
【０００１】
本発明は、こま回し用プレートに関し、特に、こまを回して点数を競うゲームを行うためのこま回し用プレートに関する。
【背景技術】
【０００２】
従来、こま回し用床として、ドーナツ状の膨張リング上にプラスチックシートからなる床板を設けたものがある（例えば特許文献１を参照）。
【先行技術文献】
【特許文献】
【０００３】
【特許文献１】特開２００３−２４６５０
【発明の概要】
【発明が解決しようとする課題】
【０００４】
従来のこま回し用プレートは、単にこまを回して楽しむだけのものであり、ゲームとしてこま遊びを楽しむには、回っている時間を競うのが普通である。しかし、回っている時間は、こま回しのテクニックのほか、こま自体の性能も大きく左右するため、フェアなゲームとなりにくいという問題があった。
【０００５】
本発明は、このような課題を解決するためになされたもので、こまの性能に関係なく、こま回しのテクニックのみを競うことができる、興趣に富んだこま回し用プレートを提供することを目的とする。
【課題を解決するための手段】
【０００６】
上記課題を解決するため、請求項１に記載のこま回し用プレートは、プレート本体と、前記プレート本体の表面に配置された、径の異なる複数のリングとを備え、前記プレート本体に紐を巻いたこまを投げ、どのリングでこまが回ったかによって点数を競うようにしたことを特徴とするものである。
【０００７】
請求項２に記載のこま回し用プレートは、前記リングは、前記プレート本体の表面の異なる位置に配置されていることを特徴とするものである。
【０００８】
請求項３に記載のこま回し用プレートは、前記リングは、前記プレート本体の表面に同心円状に配置されていることを特徴とするものである。
【０００９】
請求項４に記載のこま回し用プレートは、前記複数のリングの内側部分の前記プレート本体には、径の小さいほど高い点数の数字を表示していることを特徴とするものである。
【発明の効果】
【００１０】
本発明によれば、こまをこま回し用プレートに投げ、回ったリングにより、得点を競うことができ、これによりこまの性能に関係なく、こま回しテクニックのみを競うことができるので、興趣に富んだフェアなこま回しゲームを楽しむことができる。
【図面の簡単な説明】
【００１１】
【図１】（ａ）は本発明のこま回し用プレートの第１実施形態を示す正面図、（ｂ）は（ａ）図のＡ−Ａ線断面図である。
【図２】（ａ）は本発明のこま回し用プレートの第２実施形態を示す正面図、（ｂ）は（ａ）図のＢ−Ｂ線断面図である。
【発明を実施するための形態】
【００１２】
以下、図面を参照して本発明に係るこま回し用プレートの実施形態を説明する。
図１は、本発明のこま回し用プレートの第１実施形態を示すもので、（ａ）は正面図、（ｂ）は縦断側面図である。
【００１３】
図１、図２に示すように、１は、こま回しの用プレートためのプレート本体であって、硬質プラスチック又は木板により長方形状に形成されている。なお、プレート本体の形状は、角型、円形、楕円形等、任意の形状に構成することができる。
【００１４】
プレート本体１の表面は平坦であり、この平坦な表面から盛り上がった複数の大小のリングが形成されている。すなわち、このリングは、１００の点数が書かれている最小のリング（以下、１００点リング２aと称す）が中央に形成され、５０の点数が書かれている１００点リング２aより少し大きいリング（以下、５０点リング２ｂと称す）が左右に形成され、３０の点数が書かれている５０点リング２ｂより少し大きいリング（以下、３０点リング２ｃと称す）が上部に形成され、１０の点数が書かれている３０点リング２ｃより少し大きいリング（以下、１０点リング２ｄと称す）が下部に形成された構成である。
【００１５】
これらのリング２a〜２ｄは、例えば、次のようにして作成される。すなわち、（イ）太径の針金等の金属又はプラスチックをリング状に形成して、これをプレート本体１に接着剤で固定する、（ロ）これらのリングをＬ字ピン、Ｕ字ピン等の留め付け手段によりプレート本体１に固定する、（ハ）プレート本体１がプラスチックの場合は、樹脂成型によりリング２a〜２ｄを一体的に形成する、（ニ）プレート本体１が金属の場合は、板金のプレス加工によりリング２a〜２ｄを一体的に形成する、等の任意の手段で形成することができる。
【００１６】
上記こま回し用プレートを用いてこま回しゲームを行う場合は、紐を巻きつけたこまをこま回し用プレート１に向けて投げ、どのリングでこまが回っているかで点数を競う。すなわち、１００点リング２aでこまを回すことができれば、１００点を獲得し、同様に５０点リング２ｂ、３０点リング２ｃ、１０点リング２ｄでこまを回すことができれば、その点数を獲得する。リング２a〜２ｄ以外の部分でこまが回った場合は、０点とする。
【００１７】
リングの大きさ、個数、配置、点数等は、図示の構成は例示であって、自由に変更することができる。
【００１８】
図２は、本発明のこま回し用プレートの第２実施形態を示すもので、（ａ）は正面図、（ｂ）は縦断側面図である。
【００１９】
第２実施形態では、プレート本体の表面に平坦な表面から盛り上がった複数の大小のリングが同心円状に形成されたものである。すなわち、１００の点数が書かれている最小のリング（以下、１００点リング３aと称す）が中央に形成され、８０の点数が書かれている１００点リングより少し大きいリング（以下、８０点リング３ｂと称す）が１００点リング３aの外周に同心円状に形成され、６０の点数が書かれている８０点リングより少し大きいリング（以下、６０点リング３ｃと称す）が８０点リング３ｂの外周に同心円状に形成され、４０の点数が書かれている６０点リングより少し大きいリング（以下、４０点リング３ｄと称す）が６０点リング３ｃの外周に同心円状に形成された構成である。これらのリング２a〜２ｄも、第１実施形態と同様にして形成することができる。また、第１実施形態と同様に、紐を巻きつけたこまをこま回し用プレート１に向けて投げ、どの点数のリングでこまが回っているかで点数を競う。
【００２０】
以上のように、本発明のこま回し用プレートによれば、紐を巻いたこまをプレート本体１に向けて投げることにより、点数を競うことができ、こまの性能に関係なくこま回しテクニックのみを競うことができるので、フェアなゲームを楽しむことが可能となる。
【符号の説明】
【００２１】
１    プレート本体
２a〜２ｄ    リング
３a〜３ｄ    リング
【図１】
2011212394.tif 000003
【図２】
2011212394.tif 000004